(57)【要約】【課題】  撮像機能と通信機能と音楽記録、再生機能とを備えた情報処理装置において、ダウンロードした音楽ファイルの著作権を保護することを目的とする。【解決手段】  情報処理装置１は、画像をデジタル的に撮影する撮影手段２と、音楽ファイルをダウンロードする通信手段１４と、ダウンロードした音楽ファイルを記憶する手段６と、音楽ファイルを再生する手段２０を備える。記憶手段には、撮影手段により撮影された複数の画像が記憶されており、ダウンロードした音楽ファイルを記憶する際に、任意の画像と関連付けして記憶するように構成される。さらに、音楽ファイルの再生時に、関連付けされた画像情報を参照し、一定の条件を満たさない場合に再生を停止し、もしくは再生しない制御手段４が設けられている。【選択図】        図３
2007096644.tif 000002
【特許請求の範囲】
【請求項１】
撮像機能と通信機能と音楽記録、再生機能とを有する情報処理装置であって、
画像をデジタル的に撮影する撮影手段と、
音楽ファイルをダウンロードする通信手段と、
ダウンロードした音楽ファイルを記憶する記憶手段と、
音楽ファイルを再生する再生手段とを備え、
前記記憶手段には、撮影手段により撮影された複数の画像が記憶されており、ダウンロードした音楽ファイルを記憶する際に、任意の画像と関連付けして記憶するように構成され、
前記再生手段による音楽ファイルの再生時に、関連付けされた画像情報を参照し、一定の条件を満たさない場合に再生を停止し、もしくは再生しない制御手段を設けたことを特徴とする情報処理装置。
【請求項２】
画像をデジタル的に撮影する撮影手段と、音楽ファイルをダウンロードする通信手段と、ダウンロードした音楽ファイルを記憶する手段と、音楽ファイルを再生する手段とを備えた情報処理装置において、
撮影された複数の画像を記憶手段に記憶するステップと、
ダウンロードした音楽ファイルを記憶する際に、前記記憶手段に記憶された任意の画像と関連付けして記憶するステップと、
音楽ファイルの再生時に、関連付けされた画像情報を参照し、一定の条件を満たさない場合に再生を停止し、もしくは再生しないように制御するステップとを備えることを特徴とする情報処理方法。
【請求項３】
画像をデジタル的に撮影する撮影手段により撮影された複数の画像を記憶手段に記憶するステップと、
通信手段によりダウンロードした音楽ファイルを記憶する際に、前記記憶手段に記憶された任意の画像と関連付けして記憶するステップと、
音楽ファイルの再生時に、関連付けされた画像情報を参照し、一定の条件を満たさない場合に再生を停止し、もしくは再生しないように制御するステップとを実行させることを特徴とする情報処理プログラム。
【請求項４】
画像をデジタル的に撮影する撮影手段により撮影された複数の画像を記憶手段に記憶するステップと、
通信手段によりダウンロードした音楽ファイルを記憶する際に、前記記憶手段に記憶された任意の画像と関連付けして記憶するステップと、
音楽ファイルの再生時に、関連付けされた画像情報を参照し、一定の条件を満たさない場合に再生を停止し、もしくは再生しないように制御するステップとを実行させるための情報処理プログラムが記録されていることを特徴とする記録媒体。
【発明の詳細な説明】
【技術分野】
【０００１】
本発明は、撮像機能と通信機能と音楽記録、再生機能とを備えてなる情報処理装置、情報処理方法、情報処理プログラムおよび記録媒体に関する。
【背景技術】
【０００２】
近年、ＣＣＤの高画素化、パーソナルコンピュータ（以下、ＰＣという）等の普及により、デジタルスチルカメラが普及の一途を辿っている。この種のデジタルスチルカメラが幅広く普及しつつある要因の一つとしては、撮影画像に対してデジタルならではの各種処理が行えるということがある。特に、撮影した後のデジタル画像の処理や、画像の保持にあたっての融通性などは、従来の銀塩フィルムを用いたスチルカメラでは得られないものである。
【０００３】
すなわち、この種のデジタルスチルカメラでは、撮影した画像は撮影した順序でメモリなどの記憶媒体に記憶保存され、番号などのファイル名によって管理されている。そして、この撮影画像ファイルは、カメラ内またはカメラに接続されるパーソナルコンピュータ内の制御手段により適宜呼び出されて再生表示されたり、適宜の画像処理等が行われるようになっている。
【０００４】
この種のデジタルスチルカメラにおいて、近年、多機能化が進み、撮像機能に加えて、通信機能や音楽の記録、再生機能を備えるように構成したものが提案されるに至っている。そして、この種のデジタルスチルカメラにおいて、撮影した画像ファイルをダウンロードした音楽ファイルと関連付けて記録し、画像ファイルを表示したときに音楽ファイルの再生を行うといった構造をもつものも提案されるようになっている（例えば、特許文献１、特許文献２参照）。
【０００５】
また、これと同様に、通信機能をもつ携帯電話機等においても、撮像機能を搭載するとともに、音楽の記録、再生機能をも装備したものも提案されるようになっている。
さらに、音楽の記録、再生機能をもつ携帯式レコーダにおいても、撮像機能や通信機能を装備したものが提案されるようになっており、これらのデジタルスチルカメラや携帯電話機、さらに携帯式レコーダ等といった電子機器、装置では、いずれも情報処理装置として垣根が取り払われて構成されるようになっている。
【０００６】
【特許文献１】特開２０００−３５０１４６
【特許文献２】特開２００３−１７４５７８
【発明の開示】
【発明が解決しようとする課題】
【０００７】
ところで、上述したように撮像機能、通信機能、音楽記録、再生機能を備えてなる情報処理装置において、音楽ファイルをインターネット等を介してダウンロードし、これを記憶手段に記録し、携帯時において音楽を再生して楽しむことが行われるようになっている。そして、このような機能の活用は、記憶手段の容量の増大化と共に、発展しており、ユーザの需要も増大化している。
【０００８】
しかし、このような音楽ファイルをダウンロード等で入力、記憶し、それを再生する際に問題となることに、音楽の著作権保護がある。すなわち、音楽ファイルはデジタル化されていることから、他の機器、装置にきわめて簡単にコピーすることができ、しかも音質の低下等といった問題もない。このため、ダウンロードにより購入した音楽ファイルを、他の機器、装置に違法にコピーすることが横行し、結果として著作権侵害という問題が発生してしまうものであった。
【０００９】
したがって、この種の情報処理装置にあっては、ダウンロードした音楽ファイルの再生時における著作権への侵害を、如何なる対策で防止するかが、大きな問題となっており、簡単な手法によって、著作権の保護が行える何らかの対策を講じることが求められている。
【００１０】
本発明はこのような事情に鑑みてなされたものであり、撮像機能、通信機能、音楽の記録、再生機能を備えてなる情報処理装置において、通信機能を用いてダウンロード等で入力、記憶した音楽ファイルの著作権保護を、きわめて簡単な手法により達成することができる情報処理装置を得ることを目的とする。
【００１１】
さらに、本発明は、上述した撮像機能、通信機能、音楽の記録、再生機能を備えてなる情報処理装置において、通信機能を用いてダウンロード等で入力、記憶した音楽ファイルの著作権保護を、きわめて簡単な手法により達成することができる情報処理方法、情報処理プログラムおよびプログラムを記録した記録媒体を得ることを目的とする。
【課題を解決するための手段】
【００１２】
このような目的に応えるために本発明（請求項１記載の発明）に係る情報処理装置は、撮像機能と通信機能と音楽記録、再生機能とを有する情報処理装置であって、画像をデジタル的に撮影する撮影手段と、音楽ファイルをダウンロードする通信手段と、ダウンロードした音楽ファイルを記憶する記憶手段と、音楽ファイルを再生する再生手段とを備え、記憶手段には、撮影手段により撮影された複数の画像が記憶されており、ダウンロードした音楽ファイルを記憶する際に、任意の画像と関連付けして記憶するように構成され、音楽ファイルの再生時に、関連付けされた画像情報を参照し、一定の条件を満たさない場合に再生を停止し、もしくは再生しない制御手段を設けたことを特徴とする。
【００１３】
本発明（請求項２記載の発明）に係る情報処理方法は、画像をデジタル的に撮影する撮影手段と、音楽ファイルをダウンロードする通信手段と、ダウンロードした音楽ファイルを記憶する手段と、音楽ファイルを再生する手段とを備えた情報処理装置において、撮影された複数の画像を記憶手段に記憶するステップと、ダウンロードした音楽ファイルを記憶する際に、前記記憶手段に記憶された任意の画像と関連付けして記憶するステップと、音楽ファイルの再生時に、関連付けされた画像情報を参照し、一定の条件を満たさない場合に再生を停止し、もしくは再生しないように制御するステップとを備えることを特徴とする。
【００１４】
本発明（請求項３記載の発明）に係る情報処理プログラムは、画像をデジタル的に撮影する撮影手段により撮影された複数の画像を記憶手段に記憶するステップと、通信手段によりダウンロードした音楽ファイルを記憶する際に、前記記憶手段に記憶された任意の画像と関連付けして記憶するステップと、音楽ファイルの再生時に、関連付けされた画像情報を参照し、一定の条件を満たさない場合に再生を停止し、もしくは再生しないように制御するステップとを実行させることを特徴とする。
【００１５】
本発明（請求項４記載の発明）に係る記録媒体は、画像をデジタル的に撮影する撮影手段により撮影された複数の画像を記憶手段に記憶するステップと、通信手段によりダウンロードした音楽ファイルを記憶する際に、前記記憶手段に記憶された任意の画像と関連付けして記憶するステップと、音楽ファイルの再生時に、関連付けされた画像情報を参照し、一定の条件を満たさない場合に再生を停止し、もしくは再生しないように制御するステップとを実行させるための情報処理プログラムが記録されていることを特徴とする。
【００１６】
本発明によれば、音楽ファイルを、装置内に記憶されている撮影画像と関連付けを行っており、その撮影画像ファイルの有無によって、音楽ファイルを再生する手段による再生動作を許可または制限することができ、これにより音楽の著作権保護を行うことができるのである。
【発明の効果】
【００１７】
以上説明したように本発明に係る情報処理装置、情報処理方法、情報処理プログラムおよび記録媒体によれば、撮像機能、通信機能、音楽再生機能を備えた装置において、ダウンロードした音楽ファイルに装置内に記憶されている画像を関連付けして記憶し、音楽ファイルの再生時に関連付けした画像があるときにのみ再生を許可し、該画像がないときには音楽ファイルの再生を制限することにより、他の機器、装置での音楽ファイルの再生を制限し、結果として音楽の著作権を保護することができるという優れた効果を奏する。
【発明を実施するための最良の形態】
【００１８】
図１ないし図３は本発明に係る情報処理装置の一実施形態を示す。ここで、この実施形態では、この種の情報処理装置として、撮像機能、通信機能、音楽記録、再生機能を備えた携帯電話機１を用いた場合を説明する。
【００１９】
これらの図において、携帯電話機１の内部回路は、概略図４に示すように構成されている。
すなわち、この種の携帯電話機１は、画像をデジタル的に撮影する撮影手段としてのＣＣＤ２を備え、ここで撮像された撮影画像は、ＣＣＤ制御回路３を介して制御手段としてのＣＰＵ４に送られるように構成されている。５は図示しない撮影レンズを駆動制御するレンズ制御回路であり、ＣＰＵ４により制御されることにより、所要の撮影画像が得られるようになっている。
【００２０】
６は記憶手段としてのＤＲＡＭ、７は外部記憶装置であり、前記ＣＣＤ２で撮影された撮影画像は、これらのＤＲＡＭ６や外部記憶装置７に順次記憶されるように構成されている。
【００２１】
１０は表示手段としてのＬＣＤであり、液晶駆動回路１１により駆動制御されることにより、携帯電話機１としての必要な表示内容の表示は勿論、前記撮影画像、記憶した撮影画像を表示するように構成されている。１２は外部出力部、１３は表示バッファであり、ＬＣＤ１０への表示内容を外部出力したり、表示内容を一時的に記憶したりする。
【００２２】
１４はＩ／Ｏポート、１５は通信制御回路であり、通信手段として外部との通信を行うところである。
そして、携帯電話機１は、この通信手段により携帯通信電話網に接続されて適宜の電話通信を行ったり、インターネットにより適宜のデータを送受信することができるようになっている。
【００２３】
さらに、この携帯電話機１は、音楽の記録、再生機能を備えている。すなわち、通信手段となるＩ／Ｏポートからインターネットを介して音楽ファイルをダウンロードし、これをＣＰＵ４により記憶手段であるＤＲＡＭ６等に記憶しておき、ヘッドホン等を利用して再生した音楽を聴取できるようになっている。
２０は音楽ファイルの再生回路等からなる音楽再生部である。
【００２４】
さて、本発明によれば、上述した構成による携帯電話機１において、記憶手段であるＤＲＡＭ６に、ＣＣＤ２により撮影された複数の画像が記憶されている場合であって、通信手段によりダウンロードした音楽ファイルを記憶するにあたって、該記憶された画像のうちの任意の画像と関連付けして記憶するように構成しておき、音楽ファイルの再生時に、関連付けされた画像情報を参照し、一定の条件を満たさない場合に再生を停止し、もしくは再生しないように制御するように構成したことを特徴としている。
【００２５】
すなわち、このように構成すれば、音楽ファイルの再生を、関連付けした画像が、当該携帯電話機１内に記憶されているか否かを判断することで許可または制限することができるから、音楽ファイルの再生を、ダウンロードした携帯電話機１のみで行うように制限することができ、結果として音楽の著作権を保護することができるのである。仮に、音楽ファイルを他の機器、装置にコピーして再生しようとしても、当該機器、装置に関連付けした画像がない限り、再生は制限されることから、理解されよう。
【００２６】
これを詳述すると、図１（ａ）に示すように、ヘッドホン１ａを有する携帯電話機１において、基地局から音楽ファイルＸＸ．ｍｐ３をダウンロードする。このとき、記憶手段であるＤＲＡＭ６には、複数の撮影画像ファイルＢ．ＪＰＧ〜Ｅ．ＪＰＧが記憶されている。
【００２７】
すると、制御手段であるＣＰＵ４は、図１（ｂ）に示すように、音楽ファイルＸＸ．ｍｐ３をＤＲＡＭ６に記憶する際に、自動的に関連付け、つまり任意の画像ファイル（ここではＢ．ＪＰＧとＥ．ＪＰＧ）とのリンクを貼ることになる。
【００２８】
そして、音楽ファイルを再生する際には、図２（ａ）に示すように、ＤＲＡＭ６内にリンクした画像ファイルＢ．ＪＰＧ、Ｅ．ＪＰＧがあれば、再生を許可して再生が行われる。しかし、図２（ｂ）に示すように、音楽ファイルＸＸ．ｍｐ３をコピーした別の記憶メディアでは、リンクした画像ファイルＢ．ＪＰＧ、Ｅ．ＪＰＧがないため、再生は制限されることになる。
【００２９】
このような携帯電話機１においての内部処理を、図３を用いて説明する。
すなわち、音楽ファイルのダウンロード操作ａが行われ、Ｓ１０１において、その状態が検知されると、Ｓ１０２に進み、音楽データ（音楽ファイル）のダウンロード処理が行われる。そして、Ｓ１０３では、記録メディア（記憶手段であるＤＲＡＭ６等）内の画像データ（画像ファイル）の検索が行われる。
【００３０】
Ｓ１０４では撮影画像ファイルの有無が判断され、ある場合には、Ｓ１０５に進んで乱数が発生させられる。ない場合には、この情報処理は中止されて他の処理に進む。
Ｓ１０５で発生した乱数に基づいて、Ｓ１０６ではリンク画像ファイルが決定される。そして、Ｓ１０７では、音楽データとリンクファイル情報を結合して音楽ファイルデータが更新される。
【００３１】
ユーザが音楽ファイルの再生操作ｂを行うと、Ｓ１０８でその状態が検知され、Ｓ１０９に進んでリンク画像情報があるか否かが判断され、ある場合には、Ｓ１１０に進んでリンク画像データがあるか否かが判断される。
そして、リンク画像データがある場合には、Ｓ１１１に進んで音楽データの再生処理が行われる。
【００３２】
これに対して、Ｓ１０９やＳ１１０で情報やデータがないと判断されると、Ｓ１１２に進んで、エラー表示処理が行われ、音楽ファイルの再生は制限されることになる。
【００３３】
したがって、上述した構成による携帯電話機１においては、音楽ファイルをダウンロードした携帯電話機１においてのみ、音楽の再生が可能であり、音楽ファイルのみを他の機器、装置に違法にコピーした場合には、その再生ができないことになり、結果として音楽の著作権を保護することができるのである。
【００３４】
なお、本発明は上述した実施の形態で説明した構造には限定されず、情報処理装置各部の形状、構造等を適宜変形、変更し得ることはいうまでもない。
たとえば上述した実施形態では、携帯電話機１に撮像機能や音楽の記録、再生機能を持たせた場合を説明したが、撮像機能、通信機能、音楽記録、再生機能を備えている装置であれば、どのような機器、装置であってもよい。
【図面の簡単な説明】
【００３５】
【図１】本発明に係る情報処理装置および情報処理方法の一実施形態を示すものであり、（ａ）は音楽をダウンロードするときの概略図、（ｂ）は音楽をダウンロードしたときの記憶手段の内部での処理を説明するための概略図である。
【図２】（ａ）は音楽再生時において記憶手段内にリンクファイルがあるときの状態を説明する概略図、（ｂ）は音楽再生時に記憶手段内にリンクファイルがないときの状態を説明する概略図である。
【図３】本発明に係る情報処理装置においての情報処理方法を説明するためのフローチャートである。
【図４】本発明に係る情報処理装置の内部回路を説明するための概略図である。
【符号の説明】
【００３６】
１  携帯電話機（情報処理装置）
２  ＣＣＤ（撮影手段）
４  ＣＰＵ（制御手段）
６  ＤＲＡＭ（記憶手段）
１０  ＬＣＤ（表示手段）
１４  Ｉ／Ｏポート（通信手段）
２０  音楽再生部
【図１】
2007096644.tif 000003
【図２】
2007096644.tif 000004
【図３】
2007096644.tif 000005
【図４】
2007096644.tif 000006